(57)【特許請求の範囲】
【請求項１】
手で支持される主杆の一端部にギヤケースとこれに連動する回転刃とが支持され、
前記主杆の他端部に前記ギヤケース内のギヤを介して前記回転刃を駆動する原動機が装着され、
前記ギヤケースのフランジに前記回転刃を覆う樹脂製のカバーが取り付けられ、
前記カバーに走行輪が支持され、
前記フランジの外周縁が前記カバーの少なくとも最下部の周縁と面一またはこれよりも径方向外方に突出するように設定されている手持ち式エッジャー。
【請求項２】
請求項１において、前記カバーは、前記ギヤケースのフランジと環状のカバー押え用プレートとにより挟まれた状態で、前記プレート、前記カバーおよび前記フランジに挿通された締結部材によって前記フランジに取り付けられており、前記プレートの外周縁が前記カバーの少なくとも最下部の周縁と面一またはこれよりも径方向外方に突出するように設定されている手持ち式エッジャー。
【請求項３】
請求項１または２において、前記ギヤケースがアルミニウム製である手持ち式エッジャー。
【請求項４】
手で支持される主杆の一端部にギヤケースとこれに連動する回転刃とが支持され、
前記主杆の他端部に前記ギヤケース内のギヤを介して前記回転刃を駆動する原動機が装着され、
前記ギヤケースに前記回転刃を覆う樹脂製のカバーが取り付けられ、
前記カバーに走行輪が支持され、
前記カバーに補強板が埋設され、
前記補強板における前記カバーの下部に対応する部分の外周縁が前記カバーの下部の周縁に近接している手持ち式エッジャー。
【請求項５】
請求項４において、前記カバーおよび補強板に、前記ギヤケースおよび走行輪を締結する締結部材が挿通されている手持ち式エッジャー。
【発明の詳細な説明】
【０００１】
【発明の属する技術分野】
本発明は、主として芝草の縁刈り作業に使用される手持ち式エッジャーに関する。
【０００２】
【従来の技術】
この種の手持ち式エッジャーでは、手で支持される主杆の一端部にギヤケースが設けられ、このギヤケースから水平方向に突出した出力軸に回転刃が支持されている。前記回転刃は、前記主杆の他端部に装着されたエンジンのような原動機により、前記ギヤケース内のギヤを介して駆動される。前記ギヤケースのフランジには、前記回転刃を覆う樹脂製のカバーが取り付けられ、このカバーに走行輪が支持されている。この手持ちエッジャーによる縁刈り作業では、主杆を手で支持し、走行輪を支点としてカバーおよびギヤケースを地面から適宜の高さに離した状態で、回転刃を地面と平行な軸心回りに回転駆動させ、芝草等の縁刈りを行う。
【０００３】
【発明が解決しようとする課題】
しかし、従来の手持ち式エッジャーでは、上記縁刈り作業時に、樹脂製のカバーの下縁部が地面に擦られて磨耗していた。そこで、このようなカバーの磨耗を防止するために、前記ギヤボックスの下面よりも下側に、耐磨耗性に優れた材料からなる湾曲した接地面を有する接地案内部材を設けたものが提案されている（実用新案第２５６１８４８号）。しかし、このような構成の手持ちエッジャーでは、接地案内部材を取り付ける専用の固定手段が必要で、部品点数も多くなる。
【０００４】
本発明は、以上の事情に鑑みてなされたもので、部品点数を増大させずにカバーの磨耗を防止できる手持ち式エッジャーを提供することを目的とする。
【０００５】
【課題を解決するための手段】
前記した目的を達成するために、本発明の第１構成に係る手持ち式エッジャーは、手で支持される主杆の一端部にギヤケースとこれに連動する回転刃とが支持され、前記主杆の他端部に前記ギヤケース内のギヤを介して前記回転刃を駆動する原動機が装着され、前記ギヤケースのフランジに前記回転刃を覆う樹脂製のカバーが取り付けられ、前記カバーに走行輪が支持されたものであって、前記フランジの外周縁が前記カバーの少なくとも最下部の周縁と面一またはこれよりも径方向外方に突出するように設定されている。
【０００６】
この手持ち式エッジャーによれば、前記ギヤケースのフランジの外周縁が、前記樹脂製のカバーの少なくとも最下部の周縁と面一またはこれよりも径方向外方に突出するように設定されているので、地面にはカバーの下部と前記フランジの両方、またはフランジのみが接触する。したがって、部品点数を増大させずにカバーの磨耗を防止できる。
【０００７】
また、前記第１構成の一実施形態では、前記カバーが、前記ギヤケースのフランジと環状に形成されたカバー押え用のプレートとにより挟まれた状態で、前記プレート、前記カバーおよび前記フランジに挿通された締結部材によって前記フランジに取り付けられており、前記プレートの外周縁が前記カバーの少なくとも最下部の周縁と面一またはこれよりも径方向外方に突出するように設定されている。
【０００８】
この手持ち式エッジャーによれば、前記ギヤケースのフランジに加えて前記カバー押え用プレートの外周縁も、前記樹脂製のカバーの少なくとも最下部の周縁と面一またはこれよりも径方向外方に突出するように設定されているので、カバーの磨耗をより確実に防止できる。また、環状のプレートが締結部材の締付け座として利用されるので、締結力を大きくできる。
【０００９】
また、前記第１構成の好ましい実施形態では、前記ギヤケースがアルミニウム製である。したがって、ギヤケースのフランジによるカバーの磨耗防止効果がより向上する。
【００１０】
また、本発明の第２構成に係る手持ち式エッジャーは、手で支持される主杆の一端部にギヤケースとこれに連動する回転刃とが支持され、前記主杆の他端部に前記ギヤケース内のギヤを介して前記回転刃を駆動する原動機が装着され、前記ギヤケースに前記回転刃を覆う樹脂製のカバーが取り付けられ、前記カバーに走行輪が支持されたものであって、前記カバーに補強板が埋設されており、前記補強板における前記カバーの下部に対応する部分の外周縁が前記カバーの下部の周縁に近接している。
【００１１】
この手持ち式エッジャーによれば、カバーに埋設された補強板における前記カバーの下部に対応する部分の外周縁が前記カバーの下部の周縁に近接しているので、地面との摩擦によってカバーの下部がわずかに磨耗すると、補強板の外周縁が地面に接触する。したがって、部品点数を増大させずにカバーのそれ以上の大きな磨耗を防止できる。
【００１２】
前記第２構成の好ましい実施形態では、前記カバーおよび補強板に、前記ギヤケースおよび走行輪を締結する締結部材が挿通されている。
【００１３】
この手持ち式エッジャーによれば、ギヤケースへのカバーの取付、およびカバーへの走行輪の支持が、前記補強板によって強固になされる。
【００１４】
【発明の実施の形態】
以下、本発明の好適な実施形態について図面を参照しながら説明する。
図１は、本発明の一実施形態である手持ち式エッジャーの一部を破断して示す斜視図である。この手持ち式エッジャーは、芝生の端縁等での芝草の縁刈り作業を行うのに用いるものであって、手で支持される主杆１の前側の一端部には、ギヤケース２が設けられ、ギヤケースに支持された出力軸１２（図２参照）に回転刃３が支持されている。主杆１の中間部には手で支持するための把持部１ａが装着されている。また、前記主杆１の後側の他端部にはエンジンのような原動機４が装着され、この原動機４により、前記ギヤケース２内のギヤ２８（図２）および出力軸１２（図２）を介して回転刃３が駆動される。前記ギヤケース２のフランジ２ａには、前記回転刃３を覆う樹脂製のカバー６が取り付けられ、このカバー６に走行輪７が支持されている。
【００１５】
図２は、前記主杆１の一端部側の作業機の分解斜視図を示す。同図において、前記カバー６は概形が扇形の側面形状を有し、その前部の下部に側面視で円形のボス部６ａが形成されている。ギヤケース２はアルミニウム製であって、概形が円筒状で、その側端部にカバー６を取り付けるためのフランジ２ａが一体形成されている。このフランジ２ａの外径は前記ボス部６ａの外径と同一またはこれよりも若干大きく設定されている。これにより、フランジ２ａの外周縁が、カバー６の前部の下部と面一またはこれよりも径方向外方（下方）に若干突出している。また、このギヤケース２には、前記主杆１の一端部を取り付ける連結筒部５が一体に形成されており、連結筒部５に嵌挿した主杆１の一端部がボルトのような締結具８，９によって連結筒部５に締結されている。
【００１６】
前記カバー６における前記ギヤケース２の配置側とは反対側の側面には、鉄板のような金属からなる環状のカバー押え用プレート１０が配置され、このプレート１０と前記ギヤケース２のフランジ２ａとでカバー６のボス部６ａが挟まれた状態で、プレート１０、カバー６およびフランジ２ａに挿通されたボルト１１ａとナット１１ｂからなる締結部材１１により、カバー６がギヤケース２のフランジ２ａに取り付けられる。前記プレート１０は、その外径がカバー６のボス部６ａの外径と同一またはこれよりも若干大きく設定されている。これにより、プレート１０の外周縁が、カバー６の前部の下部と面一またはこれよりも径方向外方（下方）に若干突出している。なお、前記プレート１０は、場合によっては、これに替えて前記締結部材１１に挿通するワッシャを配置してもよい。
【００１７】
ギヤケース２からカバー６のボス部６ａ側に水平に延びる出力軸１２は、ギヤケース２内に取り付けられる２つの軸受２９Ａ，２９Ｂによって、ギヤケース２に回転自在に支持され、この出力軸１２に、カラー１３を介して回転刃３が、キャップ１４やナット１５等によって締結されている。
【００１８】
カバー６の後部には走行輪取付部６ｂが形成され、この走行輪取付部６ｂの側面に締結部材１６によって取り付けられる支持板１７、この支持板１７のスリット１７ａを貫通する車軸１８、およびこの車軸１８と共に走行輪７を前記支持板１７に締結するボルト１９，ナット２０などによって、走行輪７がカバー６の走行輪取付部６ｂに回転自在に取り付けられている。カバー６の後面には、走行輪７の後方を覆う遮蔽板２１がビス２２により締結されている。
【００１９】
この手持ち式エッジャーによる端刈り作業では、図１の主杆１の把持部１ａを手で支持し、走行輪７を支点としてカバー６およびギヤケース２を地面Ｇから適宜の高さに離した状態で、原動機４により回転刃３を回転させ、芝草等を刈り取る。
【００２０】
この手持ち式エッジャーでは、樹脂製のカバー６に比べて耐磨耗性の高いアルミニウム製である前記ギヤケース２のフランジ２ａの外周縁が、カバー６の最下部の周縁と面一またはこれよりも径方向外方に突出しているので、カバー６の下部が地面Ｇに擦られても、カバー６が磨耗するのを防止できる。また、従来例のように、専用の磨耗防止部材が不要なので、その取り付けのための新たな締結部材も不要なため、従来例の場合に比べて部品点数を低減することができる。
【００２１】
さらに、この手持ち式エッジャーでは、図２に示すカバー押え用プレート１０の外周縁もカバー６の最下部の周縁と面一またはこれよりも径方向外方に突出しているので、カバー６の磨耗をより確実に防止できる。また、環状のプレート１０が締結部材１１の締付け座として利用されているので、締結部材１１の締結力を大きくすることができる。
【００２２】
なお、前記ギヤケース２のフランジ部２ａの外周縁およびプレート１０の外周縁は、カバー６の少なくとも最下部の周縁、この例ではボス部６ａの少なくとも最下部の周縁と面一またはこれよりも径方向外方に突出するように設定しておけばよい。
【００２３】
前記樹脂製のカバー６には、図４に斜線を施して示すように補強板２３が埋設されている。図５（Ａ）に示すように、前記補強板２３は鉄のような金属からなり、図４に示すカバー６のボス部６ａおよび走行輪取付部６ｂに対応する部分を有している。補強板２３におけるボス部６ａに対応する前部は、カバー６のボス部６ａの外径よりも若干小さい外径の円弧状に形成されており、これによって、補強板２３におけるカバー６の下部に対応する部分の外周縁が、カバー６の下部の周縁に近接している。この補強板２３には、図２に示すフランジ２ａにカバー６を取り付ける締結部材１１の挿通孔２４を形成する図５の筒部材２５と、図２に示す走行輪取付部６ｂに支持板１７を取り付ける締結部材１６の挿通孔２６を形成する図５の筒部材２７とが設けられている。こうして、補強板２３に図２のギヤケース２および走行輪７を締結する締結部材１１，１６が挿通されるので、ギヤケース２へのカバー６の取付、およびカバー６への走行輪７の支持が強固になる。
【００２４】
このように、図４のカバー６に埋設した補強板２３における前記カバー６の下部に対応する部分の外周縁がカバー６の下部の周縁に近接しているので、カバー６の下部が地面Ｇに擦られてわずかに磨耗すると、補強板２３の外周縁が地面Ｇに接触するので、カバー６のそれ以上大きな磨耗を防止できる。
【００２５】
なお、補強板２３は場合によっては割愛してもよい。また、補強板２３を用いる場合、図２のフランジ２ａおよびプレート１０の外径を小さくして、カバー６の下部の外周縁よりも径方向内方に設定することも可能である。
【００２６】
【発明の効果】
以上のように、本発明によれば、手持ち式エッジャーの部品点数を増大させずに、カバーの磨耗を防止できる。
【図面の簡単な説明】
【図１】本発明の一実施形態に係る手持ち式エッジャーの一部を破断して示す斜視図である。
【図２】同手持ち式エッジャーの回転刃側の機構を示す分解斜視図である。
【図３】同機構の回転刃取付け前の状態を示す斜視図である。
【図４】本発明の他の実施形態に係る手持ち式エッジャーにおけるカバーの側面図である。
【図５】
（Ａ）は同カバーに埋設する補強板の平面図、（Ｂ）は（Ａ）におけるＢ−Ｂ線断面図，（Ｃ）は（Ａ）におけるＣ−Ｃ線断面図である。
【符号の説明】
１…主杆、２…ギヤケース、２ａ…フランジ、３…回転刃、４…原動機、６…樹脂製カバー、７…走行輪、１０…カバー押え用プレート、１１，１６…締結部材、２３…補強板
【図１】
0003542033.tif 000002
【図２】
0003542033.tif 000003
【図３】
0003542033.tif 000004
【図４】
0003542033.tif 000005
【図５】
0003542033.tif 000006